(57)【要約】【課題】ＧＰＳの位置情報またはユーザの選択操作に基づいてタイムゾーンの設定を行うことなく、ＥＰＧの時刻を内部時計の時刻に合うように調整できる「電子番組表の時刻調整システムおよび時刻調整方法」を提供する。【解決手段】放送受信装置１００の標準時刻受信部１１により受信されるグリニッジ標準時の時刻である標準時刻と、ヘッドユニット２００の内部時計２１により計時される時刻である時計時刻とを用いて、標準時刻に基づき生成されたＥＰＧの放送開始／終了時刻を補正する時刻情報補正部１５を設け、タイムゾーンに応じた時差に基づく補正ではなく、内部時計２１の時計時刻に応じた補正を行うようにすることにより、ＧＰＳの位置情報またはユーザの選択操作に基づいてタイムゾーンの設定を行うことなく、ＥＰＧの放送開始／終了時刻を内部時計の時刻に合うように調整することができるようにする。【選択図】図２
2016197814.tif 000002
【特許請求の範囲】
【請求項１】
グリニッジ標準時の時刻である標準時刻を取得する標準時刻取得部と、
上記グリニッジ標準時に基づくＥＰＧを取得するＥＰＧ取得部と、
内部時計により計時される時刻である時計時刻を取得する時計時刻取得部と、
上記標準時刻取得部により取得された上記標準時刻および上記時計時刻取得部により取得された上記時計時刻を少なくとも用いて、上記ＥＰＧ取得部により取得された上記ＥＰＧの放送開始／終了時刻を補正する時刻情報補正部とを備えたことを特徴とする電子番組表の時刻調整システム。
【請求項２】
上記時刻情報補正部は、
上記標準時刻および上記グリニッジ標準時に基づくＥＰＧの放送開始／終了時刻に基づいて、現在受信中の放送番組の残り時間を算出する残り時間算出部と、
上記残り時間算出部により算出された上記残り時間を上記時計時刻に加算することにより、上記現在受信中の放送番組の放送終了時刻を算出する終了時刻算出部と、
上記終了時刻算出部により算出された上記放送終了時刻から上記現在受信中の放送番組の放送開始時刻を逆算する開始時刻算出部と、
上記開始時刻算出部により算出された上記放送開始時刻および上記終了時刻算出部により算出された上記放送終了時刻を基準として、他の放送番組の放送開始／終了時刻を補正する開始／終了時刻補正部とを備えたことを特徴とする請求項１に記載の電子番組表の時刻調整システム。
【請求項３】
上記時刻情報補正部は、
上記時計時刻の上記標準時刻からの時間差を算出する時間差算出部と、
上記時間差算出部により算出された上記時間差を上記グリニッジ標準時に基づくＥＰＧに含まれる複数の放送番組の放送開始／終了時刻に加算することにより、上記複数の放送番組の放送開始／終了時刻を補正する開始／終了時刻補正部とを備えたことを特徴とする請求項１に記載の電子番組表の時刻調整システム。
【請求項４】
ＥＰＧデータを受信するチューナを備えた放送受信装置と、上記内部時計を用いた時計表示機能付きの表示装置とを備えたシステムにおいて、
上記放送受信装置は、
上記標準時刻を受信する、上記標準時刻取得部としての標準時刻受信部と、
上記チューナで受信した上記ＥＰＧデータに基づいて、上記標準時刻受信部により受信された上記標準時刻を基準としたＥＰＧを生成する、上記ＥＰＧ取得部としてのＥＰＧ生成部と、
上記時計時刻を上記表示装置から取得する上記時計時刻取得部と、
上記標準時刻および上記時計時刻を少なくとも用いて、上記ＥＰＧ生成部により生成されたＥＰＧの放送開始／終了時刻を補正する上記時刻情報補正部と、
上記時刻情報補正部により放送開始／終了時刻が補正されたＥＰＧを上記表示装置に送信するＥＰＧ送信部とを備え、
上記表示装置は、
上記時計時刻を上記放送受信装置に送信する時計時刻送信部と、
上記ＥＰＧ送信部により送信されたＥＰＧを受信するＥＰＧ受信部と、
上記ＥＰＧ受信部により受信されたＥＰＧを画面表示させるＥＰＧ表示部とを備えたことを特徴とする請求項１に記載の電子番組表の時刻調整システム。
【請求項５】
ＥＰＧデータを受信するチューナを備えた放送受信装置と、上記内部時計を用いた時計表示機能付きの表示装置とを備えたシステムにおいて、
上記放送受信装置は、
上記標準時刻を受信する、上記標準時刻取得部としての標準時刻受信部と、
上記チューナで受信した上記ＥＰＧデータに基づいて、上記標準時刻受信部により受信された上記標準時刻を基準としたＥＰＧを生成する、上記ＥＰＧ取得部としてのＥＰＧ生成部と、
上記ＥＰＧ生成部により生成された上記ＥＰＧを、上記標準時刻受信部により取得された上記標準時刻と共に上記表示装置に送信するＥＰＧ送信部とを備え、
上記表示装置は、
上記ＥＰＧ送信部により送信された上記ＥＰＧおよび上記標準時刻を受信する、上記ＥＰＧ取得部および上記標準時刻取得部としてのＥＰＧ受信部と、
上記時計時刻を取得する上記時計時刻取得部と、
上記ＥＰＧ受信部により取得された上記標準時刻および上記時計時刻取得部により取得された上記時計時刻を少なくとも用いて、上記ＥＰＧ受信部により受信された上記ＥＰＧの放送開始／終了時刻を補正する上記時刻情報補正部と、
上記時刻情報補正部により上記放送開始／終了時刻が補正されたＥＰＧを画面表示させるＥＰＧ表示部とを備えたことを特徴とする請求項１に記載の電子番組表の時刻調整システム。
【請求項６】
ＥＰＧデータを受信するチューナを備えた放送受信装置と、内部時計を用いた時計表示機能付きの表示装置とを備えたシステムにおいて、上記表示装置にて表示されるＥＰＧの時刻情報を調整する方法であって、
上記放送受信装置の標準時刻取得部が、グリニッジ標準時の時刻である標準時刻を取得する第１のステップと、
上記放送受信装置のＥＰＧ取得部が、上記グリニッジ標準時に基づくＥＰＧを取得する第２のステップと、
上記放送受信装置の時計時刻取得部が、上記表示装置の内部時計により計時される時刻である時計時刻を上記表示装置から取得する第３のステップと、
上記放送受信装置の時刻情報補正部が、上記標準時刻取得部により取得された上記標準時刻および上記時計時刻取得部により取得された上記時計時刻を少なくとも用いて、上記ＥＰＧ取得部により取得された上記ＥＰＧの放送開始／終了時刻を補正する第４のステップとを有することを特徴とする電子番組表の時刻調整方法。
【請求項７】
ＥＰＧデータを受信するチューナを備えた放送受信装置と、内部時計を用いた時計表示機能付きの表示装置とを備えたシステムにおいて、上記表示装置にて表示されるＥＰＧの時刻情報を調整する方法であって、
上記表示装置の標準時刻取得部が、グリニッジ標準時の時刻である標準時刻を上記放送受信装置から取得する第１のステップと、
上記表示装置のＥＰＧ取得部が、上記グリニッジ標準時に基づき生成されたＥＰＧを上記放送受信装置から取得する第２のステップと、
上記表示装置の時計時刻取得部が、上記内部時計により計時される時刻である時計時刻を取得する第３のステップと、
上記表示装置の時刻情報補正部が、上記標準時刻取得部により取得された上記標準時刻および上記時計時刻取得部により取得された上記時計時刻を少なくとも用いて、上記ＥＰＧ取得部により取得された上記ＥＰＧの放送開始／終了時刻を補正する第４のステップとを有することを特徴とする電子番組表の時刻調整方法。
【発明の詳細な説明】
【技術分野】
【０００１】
本発明は、電子番組表の時刻調整システムおよび時刻調整方法に関し、特に、グリニッジ標準時（ＧＭＴ：Greenwich Mean Time）で特定される電子番組表の時刻を、電子番組表データの受信地点における時差に応じて調整するシステムに用いて好適なものである。
【背景技術】
【０００２】
近年提供されている放送受信装置は、その殆どが、電子番組表（ＥＰＧ：Electronic Program Guide）を画面表示させる機能を標準装備している。ＥＰＧは、放送番組のタイトル、放送開始／終了時刻、番組内容を含む情報を表形式で表示するものであり、ユーザが選局や録画予約などを簡易に行うための仕組みを提供している。
【０００３】
一般に、ＥＰＧの時刻情報は、常にグリニッジ標準時（ＧＭＴ）により特定される。そのため、ＧＭＴから時差のある地域では、当該地域の現地時刻と、ＥＰＧで示される時刻とが一致しない。そこで、従来の放送受信装置は、この時差による時間差をなくすために、地域に応じて設定されたタイムゾーンに従ってＥＰＧの時刻を補正する機能を有している。
【０００４】
なお、予約録画機能を有するビデオ記録装置において、放送局所在地と受信地との時差の情報を記憶する時差テーブルを設け、予約情報の時刻を時差テーブルを参照して修正する技術が知られている（特許文献１参照）。また、チューナを介して入力された放送信号から補正用の時間情報を取得し、時計カウント部により計数された時間のデータと補正用の時間情報とを比較して、時計カウント部の補正を行う技術も知られている（特許文献２参照）。
【先行技術文献】
【特許文献】
【０００５】
【特許文献１】特開平１０−６４１３６号公報
【特許文献２】特開２００４−２６６４７７号公報
【発明の概要】
【発明が解決しようとする課題】
【０００６】
ところで、タイムゾーンに従ってＥＰＧの時刻を補正する手法としては、次の２点が挙げられる。
１）ＧＰＳにより取得した位置情報からタイムゾーンを自動選択する手法
２）選択候補として提示されるリストの中からユーザが手動でタイムゾーンを選択する手法
【０００７】
しかしながら、上記１）の手法は、ＧＰＳを備えていない放送受信装置では適用することができない。ＧＰＳを備えていない放送受信装置の場合は、上記２）の手法でＥＰＧの時刻（番組の放送開始／終了時刻）を補正する必要がある。この場合は、ユーザが手動で設定画面を開いてタイムゾーンを選択する操作をする必要があり、設定に手間がかかるという問題があった。
【０００８】
また、ＥＰＧの表示とは別に内部時計の時刻表示を行う機能を備えたシステムの場合、ＥＰＧの時刻をタイムゾーンに従って補正しても、補正後の時刻が、内部時計に基づく現地時刻と合わないことがある。選択したタイムゾーンに設定されている時差が実際の時差と数分程度異なっていたり、内部時計に基づく時刻が正しい現地時刻から数分程度ずれていたりする場合があるからである。この場合は、ＥＰＧの表示時刻と内部時計による表示時刻とが一致せず、ユーザに違和感を与えてしまうという問題があった。
【０００９】
本発明は、このような問題を解決するために成されたものであり、ＧＰＳの位置情報またはユーザの選択操作に基づいてタイムゾーンの設定を行うことなく、ＥＰＧの時刻を内部時計の時刻に合うように調整できるようにすることを目的とする。
【課題を解決するための手段】
【００１０】
上記した課題を解決するために、本発明では、グリニッジ標準時の時刻である標準時刻と、内部時計により計時される時刻である時計時刻とを少なくとも用いて、グリニッジ標準時に基づき生成されたＥＰＧの放送開始／終了時刻を補正するようにしている。
【発明の効果】
【００１１】
上記のように構成した本発明によれば、タイムゾーンに応じた時差に基づく補正ではなく、内部時計の時計時刻に応じた補正が行われるので、ＧＰＳの位置情報またはユーザの選択操作に基づいてタイムゾーンの設定を行うことなく、ＥＰＧの放送開始／終了時刻を内部時計の時刻に合うように調整することができる。
【図面の簡単な説明】
【００１２】
【図１】第１の実施形態による電子番組表の時刻調整システムの全体構成例を示す図である。
【図２】第１の実施形態による時刻調整システムの機能構成例を示すブロック図である。
【図３】第１の実施形態による時刻情報補正部の具体的な機能構成例を示すブロック図である。
【図４】第１の実施形態による時刻情報補正部によって行われる動作の一例を示す図である。
【図５】第１の実施形態による時刻情報補正部によって行われる動作の他の例を示す図である。
【図６】第１の実施形態による時刻調整システムの動作例を示すフローチャートである。
【図７】第１の実施形態による時刻調整システムの他の機能構成例を示すブロック図である。
【図８】第２の実施形態による電子番組表の時刻調整システムの全体構成例を示す図である。
【図９】第２の実施形態による時刻調整システムの機能構成例を示すブロック図である。
【図１０】第２の実施形態による時刻情報補正部の具体的な機能構成例を示すブロック図である。
【図１１】第２の実施形態による時刻情報補正部によって行われる動作の一例を示す図である。
【図１２】第２の実施形態による時刻調整システムの動作例を示すフローチャートである。
【発明を実施するための形態】
【００１３】
（第１の実施形態）
以下、本発明の第１の実施形態を図面に基づいて説明する。図１は、第１の実施形態による電子番組表の時刻調整システムの全体構成例を示す図である。図１に示すように、第１の実施形態による時刻調整システムは、ＥＰＧデータを受信するチューナを備えた放送受信装置１００と、内部時計を用いた時計表示機能付きの表示装置２００とを備えて構成されている。
【００１４】
図１に示すシステムは、例えば、車両に搭載されるオーディオビジュアルシステム（以下、ＡＶシステムという）であり、放送受信装置１００と表示装置２００とがＢＵＳを介して接続されている。表示装置２００は、放送受信装置１００で受信した放送の音声をスピーカから出力するとともに、映像をディスプレイに表示する機能を有しており、例えばヘッドユニットがこれに該当する。以下では、ヘッドユニット２００として説明する。
【００１５】
図２は、第１の実施形態による時刻調整システムの機能構成例を示すブロック図である。図２に示すように、第１の実施形態による時刻調整システムの一構成要素である放送受信装置１００は、標準時刻受信部１１、チューナ１２、ＥＰＧ生成部１３、時計時刻取得部１４、時刻情報補正部１５およびＥＰＧ送信部１６を備えている。なお、これらの機能ブロック１１〜１６は、ハードウェア、ＤＳＰ（Digital Signal Processor）、ソフトウェアの何れによっても構成することが可能である。
【００１６】
また、第１の実施形態による時刻調整システムの別の構成要素であるヘッドユニット２００は、内部時計２１、ディスプレイ２２、時計時刻送信部２３、ＥＰＧ受信部２４およびＥＰＧ表示部２５を備えている。なお、上記機能ブロック２３〜２５は、ハードウェア、ＤＳＰ、ソフトウェアの何れによっても構成することが可能である。
【００１７】
放送受信装置１００の標準時刻受信部１１は、衛星からグリニッジ標準時（ＧＭＴ）の時刻である標準時刻を受信する。この標準時刻受信部１１は、特許請求の範囲の標準時刻取得部に相当する。チューナ１２は、放送局より放送波を受信する。また、チューナ１２は、放送局よりＥＰＧデータも受信する。ＥＰＧデータは、放送波として受信される放送番組のタイトル、放送開始／終了時刻、番組内容を含む各種情報を表形式で表示するためのデータである。
【００１８】
ＥＰＧ生成部１３は、チューナ１２で受信したＥＰＧデータに基づいて、標準時刻受信部１１により受信された標準時刻を基準としたＥＰＧを生成する。すなわち、ＥＰＧ生成部１３は、標準時刻を基準として各放送番組の放送開始／終了時刻を特定したＥＰＧを生成する。このＥＰＧ生成部１３は、特許請求の範囲のＥＰＧ取得部に相当する。
【００１９】
時計時刻取得部１４は、ヘッドユニット２００の内部時計２１により計時される時刻である時計時刻をヘッドユニット２００から取得する。すなわち、ヘッドユニット２００では、内部時計２１により計時される時計時刻を時計時刻送信部２３が取得し、当該時計時刻を放送受信装置１００に送信する。時計時刻取得部１４は、時計時刻送信部２３により送信された時計時刻を取得する。
【００２０】
なお、ＡＶシステムを搭載した車両がＧＭＴから時差のある地域にいる場合、放送受信装置１００の標準時刻受信部１１により受信される標準時刻と、時計時刻取得部１４によりヘッドユニット２００から取得される時計時刻との間には、時差に応じた時間差が生じている。よって、ＥＰＧ生成部１３により生成されるＥＰＧに関しても、各放送番組の放送開始／終了時刻が時差に応じた時間差を含んだものとなっている。
【００２１】
時刻情報補正部１５は、標準時刻受信部１１により受信された標準時刻と、時計時刻取得部１４によりヘッドユニット２００から取得された時計時刻と、ＥＰＧ生成部１３により生成されたＥＰＧに含まれる放送開始／終了時刻とを用いて、ＥＰＧ生成部１３により生成されたＥＰＧの放送開始／終了時刻を補正する。時刻情報補正部１５は、この補正を行うことにより、時差による時間差のない現地時刻に基づく放送開始／終了時刻により特定されたＥＰＧを生成する。なお、補正の具体的な処理内容については、図３および図４を用いて後述する。
【００２２】
ＥＰＧ送信部１６は、時刻情報補正部１５により放送開始／終了時刻が補正されたＥＰＧをヘッドユニット２００に送信する。ヘッドユニット２００のＥＰＧ受信部２４は、放送受信装置１００のＥＰＧ送信部１６により送信されたＥＰＧ、つまり、時刻情報補正部１５により放送開始／終了時刻が補正されたＥＰＧを受信する。ＥＰＧ表示部２５は、ＥＰＧ受信部２４により受信されたＥＰＧをディスプレイ２２に画面表示させる。
【００２３】
図３は、第１の実施形態による時刻情報補正部１５の具体的な機能構成例を示すブロック図である。図４は、時刻情報補正部１５による動作の一例を示す図である。図３に示すように、時刻情報補正部１５は、その具体的な機能構成として、残り時間算出部１５１、終了時刻算出部１５２、開始時刻算出部１５３および開始／終了時刻補正部１５４を備えている。以下、これらの機能構成の動作を、図４を参照しながら説明する。
【００２４】
残り時間算出部１５１は、標準時刻受信部１１により受信された標準時刻と、ＥＰＧ生成部１３により標準時刻に基づき生成されたＥＰＧの放送開始／終了時刻とに基づいて、現在受信中の放送番組の残り時間を算出する。例えば、図４に示すように、放送受信装置１００の標準時刻受信部１１により受信された標準時刻が６：０７、ヘッドユニット２００の内部時計２１により計時された時計時刻（現地時刻）が０：０７で、ＧＭＴから６時間遅れの時差があるものとする。そして、ＥＰＧ生成部１３により生成されたＥＰＧにおいて６：００−６：３０で示される放送番組を現在受信中であるとする。この場合、残り時間算出部１５１は、現在受信中の放送番組の残り時間を、６：３０−６：０７＝２３分と算出する。
【００２５】
終了時刻算出部１５２は、残り時間算出部１５１により算出された残り時間を、時計時刻取得部１４によりヘッドユニット２００から取得した時計時刻に加算することにより、現在受信中の放送番組の現地時刻に基づく放送終了時刻を算出する。図４の例では、終了時刻算出部１５２は、時計時刻０：０７に残り時間２３分を加算することにより、現在受信中の放送番組の放送終了時刻を０：３０と算出する。
【００２６】
開始時刻算出部１５３は、終了時刻算出部１５２により算出された放送終了時刻から、現在受信中の放送番組の放送開始時刻を逆算する。図４の例では、現在受信中の放送番組は３０分番組なので、開始時刻算出部１５３は、終了時刻算出部１５２により算出された放送終了時刻０：３０から３０分前に遡った時刻０：００を、現在受信中の放送番組の放送開始時刻として算出する。
【００２７】
開始／終了時刻補正部１５４は、開始時刻算出部１５３により算出された放送開始時刻および終了時刻算出部１５２により算出された放送終了時刻を基準として、他の放送番組の放送開始／終了時刻を補正する。図４の例では、開始／終了時刻補正部１５４は、現在受信中の放送番組について補正された放送開始／終了時刻０：００−０：３０を基準として、他の放送番組の放送開始／終了時刻を補正する。すなわち、現在受信中の放送番組の放送開始／終了時刻が６時間遡っているので、開始／終了時刻補正部１５４は、他の放送番組についても同様に放送開始／終了時刻を６時間遡らせる補正を行う。これにより、補正されたＥＰＧは、ヘッドユニット２００の内部時計２１で計時される現地時刻に合致したものとなる。
【００２８】
なお、図４では、時差が６時間である場合の例を示しているが、時差が分単位で生じている場合も、図５に示すように第１の実施形態を同様に適用することが可能である。図５は、時差が６時間５分の場合の例を示している。また、実際の時差が６時間で、かつ、内部時計２１により計時される時計時刻が、正確な現地時刻から分単位でずれている場合にも同様に適用することが可能である。すなわち、図５に示す例は、正確な現地時刻は０：０７であるが、内部時計２１により計時される時計時刻が５分ずれていて０：１２となっている例として捉えることも可能である。
【００２９】
図６は、上記のように構成した第１の実施形態による時刻調整システムの動作例を示すフローチャートである。なお、この図６に示すフローチャートは、例えば、放送受信装置１００およびヘッドユニット２００の電源をオンとしたとき（一例として、車両のアクセサリーキーをオンとして放送受信装置１００およびヘッドユニット２００の双方に電源が投入されたときに）開始する。なお、動作開始のタイミングはこれに限定されない。
【００３０】
なお、フローチャートには図示していないが、放送受信装置１００では、電源の投入により標準時刻受信部１１が標準時刻の受信を開始し、チューナ１２が放送波およびＥＰＧデータの受信を開始する。一方、ヘッドユニット２００では、電源が投入されていない状態でも、待機電源を用いて内部時計２１が現地時刻を常に計時している。
【００３１】
電源が投入されると、まず、放送受信装置１００のＥＰＧ生成部１３は、チューナ１２にて受信したＥＰＧデータに基づいて、標準時刻受信部１１により受信された標準時刻を基準としたＥＰＧを生成する（ステップＳ１）。次に、時刻情報補正部１５の残り時間算出部１５１は、標準時刻受信部１１により受信された標準時刻と、ＥＰＧ生成部１３により生成されたＥＰＧの放送開始／終了時刻とに基づいて、現在受信中の放送番組の残り時間を算出し、当該残り時間のカウントダウンを開始する（ステップＳ２）。
【００３２】
次に、放送受信装置１００は、ヘッドユニット２００からＥＰＧの取得要求を受信したか否かを判定する（ステップＳ３）。例えば、ヘッドユニット２００によりディスプレイ２２に表示される操作画面に対する操作を通じてユーザがＥＰＧの表示指示を行うと、ヘッドユニット２００から放送受信装置１００に対してＥＰＧの取得要求が送信される。放送受信装置１００がこの取得要求を受信していない場合は、ステップＳ３の判定処理が繰り返される。
【００３３】
一方、放送受信装置１００がヘッドユニット２００からＥＰＧの取得要求を受信すると、時計時刻取得部１４は、ヘッドユニット２００の内部時計２１により計時されている時計時刻をヘッドユニット２００から取得する（ステップＳ４）。なお、ヘッドユニット２００がＥＰＧの取得要求を放送受信装置１００に送信する際に時計時刻も送信し、これを時計時刻取得部１４が取得するようにしてもよい。
【００３４】
次に、終了時刻算出部１５２は、時計時刻取得部１４によりヘッドユニット２００から取得した時計時刻に対して、残り時間算出部１５１によりカウントダウン中の残り時間を加算することにより、現在受信中の放送番組の放送終了時刻を算出する（ステップＳ５）。さらに、開始時刻算出部１５３は、終了時刻算出部１５２により算出された放送終了時刻から、現在受信中の放送番組の放送開始時刻を逆算する（ステップＳ６）。
【００３５】
次いで、開始／終了時刻補正部１５４は、ステップＳ５で終了時刻算出部１５２により算出された放送終了時刻と、ステップＳ６で開始時刻算出部１５３により算出された放送開始時刻とを基準として、他の放送番組の放送開始／終了時刻を補正する（ステップＳ７）。
【００３６】
そして、ＥＰＧ送信部１６は、以上のようにして時刻情報補正部１５により放送開始／終了時刻が補正されたＥＰＧをヘッドユニット２００に送信する（ステップＳ８）。ヘッドユニット２００では、ＥＰＧ表示部２５が、放送受信装置１００より送信されたＥＰＧをディスプレイ２２に画面表示させる（ステップＳ９）。これにより、図６に示すフローチャートの処理は終了する。
【００３７】
なお、上記実施形態では、ＥＰＧの放送開始／終了時刻の補正を放送受信装置１００にて行う例について説明したが、ヘッドユニット２００にて行うようにしてもよい。図７は、ヘッドユニット２００にて放送開始／終了時刻の補正を行う場合における時刻調整システムの機能構成例を示すブロック図である。なお、図７において、図２に示した符号と同一の符号を付したものは同一の機能を有するものであるので、ここでは重複する説明を省略する。
【００３８】
図７に示すように、放送受信装置１００Ａは、標準時刻受信部１１、チューナ１２、ＥＰＧ生成部１３およびＥＰＧ送信部１６Ａを備えている。また、ヘッドユニット２００Ａは、内部時計２１、ディスプレイ２２、時計時刻取得部２３Ａ、ＥＰＧ受信部２４Ａ、時刻情報補正部１５ＡおよびＥＰＧ表示部２５を備えている。
【００３９】
放送受信装置１００ＡのＥＰＧ送信部１６Ａは、ＥＰＧ生成部１３により生成された標準時刻に基づくＥＰＧを、標準時刻受信部１１により取得された標準時刻と共にヘッドユニット２００Ａに送信する。ヘッドユニット２００ＡのＥＰＧ受信部２４Ａは、ＥＰＧ送信部１６Ａにより送信されたＥＰＧおよび標準時刻を受信する。このＥＰＧ受信部２４Ａは、特許請求の範囲のＥＰＧ取得部および標準時刻取得部に相当する。
【００４０】
ヘッドユニット２００Ａの時計時刻取得部２３Ａは、内部時計２１により計時されている時計時刻を取得する。時刻情報補正部１５Ａは、ＥＰＧ受信部２４により放送受信装置１００Ａから取得した標準時刻（標準時刻受信部１１により受信された標準時刻）と、時計時刻取得部２３Ａにより内部時計２１から取得された時計時刻と、ＥＰＧ受信部２４により放送受信装置１００Ａから取得した標準時刻に基づくＥＰＧに含まれる放送開始／終了時刻とを用いて、ＥＰＧ受信部２４Ａにより受信されたＥＰＧの放送開始／終了時刻を補正する。時刻情報補正部１５Ａによって行われる補正処理の内容は、時刻情報補正部１５と同じである。
【００４１】
ＥＰＧ表示部２５は、時刻情報補正部１５Ａにより放送開始／終了時刻が補正されたＥＰＧをディスプレイ２２に画面表示させる。
【００４２】
以上詳しく説明したように、第１の実施形態では、放送受信装置１００，１００Ａの標準時刻受信部１１により受信される標準時刻と、ヘッドユニット２００，２００Ａの内部時計２１により計時される時計時刻（現地時刻）と、放送受信装置１００，１００Ａにおいて標準時刻に基づき生成されたＥＰＧに含まれる放送開始／終了時刻とを用いて、当該標準時刻に基づき生成されたＥＰＧの放送開始／終了時刻を補正するようにしている。
【００４３】
このように構成した第１の実施形態によれば、ヘッドユニット２００が備える内部時計２１の時計時刻を用いて、ＥＰＧの放送開始／終了時刻の補正が行われる。これにより、ＧＰＳの位置情報またはユーザの選択操作に基づいてタイムゾーンの設定を行うことなく、ＥＰＧの放送開始／終了時刻を内部時計２１の時計時刻（現地時刻）に合致するように調整することができる。したがって、ＧＰＳを備えていない放送受信装置でも放送開始／終了時刻の補正を行うことができる。また、ユーザが手動でタイムゾーンを設定する手間をかけることなく、放送開始／終了時刻の補正を行うことができる。
【００４４】
（第２の実施形態）
次に、本発明の第２の実施形態を図面に基づいて説明する。図８は、第２の実施形態による電子番組表の時刻調整システムの全体構成例を示す図である。図８に示すように、第２の実施形態による時刻調整システムは、ＥＰＧデータを受信するチューナを備えた放送受信装置１００Ｂと、内部時計を用いた時計表示機能付きの表示装置２００Ｂとを備えて構成されている。図８に示すシステムも、例えば、車両に搭載されるＡＶシステムであり、放送受信装置１００Ｂと表示装置（ヘッドユニット）２００ＢとがＢＵＳを介して接続されている。
【００４５】
図９は、第２の実施形態による時刻調整システムの機能構成例を示すブロック図である。なお、この図９において、図２に示した符号と同一の符号を付したものは同一の機能を有するものであるので、ここでは重複する説明を省略する。図９に示すように、第２の実施形態による放送受信装置１００Ｂは、図２に示した時刻情報補正部１５に代えて時刻情報補正部１５Ｂを備えている。
【００４６】
図１０は、第２の実施形態による時刻情報補正部１５Ｂの具体的な機能構成例を示すブロック図である。図１１は、時刻情報補正部１５Ｂによる動作の一例を示す図である。図１０に示すように、時刻情報補正部１５Ｂは、その具体的な機能構成として、時間差算出部１５１Ｂおよび開始／終了時刻補正部１５４Ｂを備えている。以下、これらの機能構成の動作を、図１１を参照しながら説明する。
【００４７】
なお、図１１の例においても図４の例と同様、放送受信装置１００Ｂの標準時刻受信部１１により受信された標準時刻が６：０７、ヘッドユニット２００の内部時計２１に計時された時計時刻（現地時刻）が０：０７で、ＧＭＴから６時間遅れの時差があるものとする。
【００４８】
時間差算出部１５１Ｂは、時計時刻取得部１４により取得された時計時刻の、標準時刻受信部１１により受信された標準時刻からの時間差を算出する。図１１に示す例の場合、時間差算出部１５１Ｂは、時計時刻の標準時刻からの時間差を、０：０７−６：０７＝−６時間と算出する。
【００４９】
開始／終了時刻補正部１５４Ｂは、時間差算出部１５１Ｂにより算出された時間差を、ＥＰＧ生成部１３により標準時刻に基づき生成されたＥＰＧに含まれる複数の放送番組の放送開始／終了時刻に加算することにより、複数の放送番組の放送開始／終了時刻を補正する。図１１の例では、開始／終了時刻補正部１５４Ｂは、ＥＰＧに含まれる複数の放送番組のそれぞれについて、放送開始／終了時刻を６時間遡らせる補正を行う。これにより、補正されたＥＰＧは、ヘッドユニット２００の内部時計２１で計時される現地時刻に合致したものとなる。
【００５０】
図１２は、上記のように構成した第２の実施形態による時刻調整システムの動作例を示すフローチャートである。なお、この図１２に示すフローチャートは、例えば、放送受信装置１００Ｂおよびヘッドユニット２００Ｂの電源をオンとしたとき（一例として、車両のアクセサリーキーをオンとして放送受信装置１００Ｂおよびヘッドユニット２００Ｂの双方に電源が投入されたときに）開始する。なお、動作開始のタイミングはこれに限定されない。
【００５１】
なお、フローチャートには図示していないが、放送受信装置１００Ｂでは、電源の投入により標準時刻受信部１１が標準時刻の受信を開始し、チューナ１２が放送波およびＥＰＧデータの受信を開始する。一方、ヘッドユニット２００Ｂでは、電源が投入されていない状態でも、待機電源を用いて内部時計２１が現地時刻を常に計時している。
【００５２】
電源が投入されると、まず、放送受信装置１００ＢのＥＰＧ生成部１３は、チューナ１２にて受信したＥＰＧデータに基づいて、標準時刻受信部１１により受信された標準時刻を基準としたＥＰＧを生成する（ステップＳ１１）。次に、放送受信装置１００Ｂは、ヘッドユニット２００ＢからＥＰＧの取得要求を受信したか否かを判定する（ステップＳ１２）。放送受信装置１００ＢがＥＰＧの取得要求を受信していない場合は、ステップＳ１２の判定処理が繰り返される。
【００５３】
一方、放送受信装置１００Ｂがヘッドユニット２００ＢからＥＰＧの取得要求を受信すると、時計時刻取得部１４は、ヘッドユニット２００Ｂの内部時計２１により計時されている時計時刻をヘッドユニット２００Ｂから取得する（ステップＳ１３）。なお、ヘッドユニット２００ＢがＥＰＧの取得要求を放送受信装置１００Ｂに送信する際に時計時刻も送信し、これを時計時刻取得部１４が取得するようにしてもよい。
【００５４】
次に、時間差算出部１５１Ｂは、時計時刻の標準時刻からの時間差を算出する（ステップＳ１４）。さらに、開始／終了時刻補正部１５４Ｂは、時間差算出部１５１Ｂにより算出された時間差を、ステップＳ１１でＥＰＧ生成部１３により標準時刻に基づき生成されたＥＰＧに含まれる複数の放送番組の放送開始／終了時刻に加算することにより、複数の放送番組の放送開始／終了時刻を補正する（ステップＳ１５）。
【００５５】
そして、ＥＰＧ送信部１６は、以上のようにして時刻情報補正部１５Ｂにより放送開始／終了時刻が補正されたＥＰＧをヘッドユニット２００Ｂに送信する（ステップＳ１６）。ヘッドユニット２００Ｂでは、ＥＰＧ表示部２５が、放送受信装置１００Ｂより送信されたＥＰＧをディスプレイ２２に画面表示させる（ステップＳ１７）。これにより、図１２に示すフローチャートの処理は終了する。
【００５６】
以上のように構成した第２の実施形態では、現在受信中の放送番組の放送開始／終了時刻は用いず、標準時刻および時計時刻を用いてＥＰＧの放送開始／終了時刻を補正している。このように構成した第２の実施形態においても、ＧＰＳの位置情報またはユーザの選択操作に基づいてタイムゾーンの設定を行うことなく、ＥＰＧの放送開始／終了時刻を内部時計２１の時計時刻（現地時刻）に合致するように調整することができる。
【００５７】
なお、上記第２の実施形態においても、ＥＰＧの放送開始／終了時刻の補正を放送受信装置１００Ｂにて行うようにしているが、ヘッドユニット２００Ｂにて行うようにしてもよい。
【００５８】
また、上記第１および第２の実施形態では、ＥＰＧデータを受信するチューナ２２を備えた放送受信装置１００，１００Ａ，１００Ｂと、時計表示機能付きのヘッドユニット２００，２００Ａ，２００Ｂとが別体となっているシステムを例に挙げて説明したが、一体となっている装置にも同様に本発明を適用することが可能である。
【００５９】
その他、上記第１および第２の実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００６０】
１１  標準時刻受信部（標準時刻取得部）
１２  チューナ
１３  ＥＰＧ生成部（ＥＰＧ取得部）
１４  時計時刻取得部
１５，１５Ａ，１５Ｂ  時刻情報補正部
１６，１６Ａ  ＥＰＧ送信部
２１  内部時計
２２  ディスプレイ
２３  時計時刻送信部
２３Ａ  時計時刻取得部
２４  ＥＰＧ受信部
２４Ａ  ＥＰＧ受信部（標準時刻取得部およびＥＰＧ取得部）
２５  ＥＰＧ表示部
１００，１００Ａ，１００Ｂ  放送受信装置
２００，２００Ａ，２００Ｂ  表示装置（ヘッドユニット）
【図１】
2016197814.tif 000003
【図２】
2016197814.tif 000004
【図３】
2016197814.tif 000005
【図４】
2016197814.tif 000006
【図５】
2016197814.tif 000007
【図６】
2016197814.tif 000008
【図７】
2016197814.tif 000009
【図８】
2016197814.tif 000010
【図９】
2016197814.tif 000011
【図１０】
2016197814.tif 000012
【図１１】
2016197814.tif 000013
【図１２】
2016197814.tif 000014